(57)【要約】【課題】従来は受信装置のディスプレイ上に受信感度は表示されるが、受信感度が良くない場合、受信感度は表示されているが、どちらの方向に受信装置を向けたり動かしたりするべきかを表示されておらず、受信装置を安定して無線伝送できる設置位置に容易に調整できない課題があった。【解決手段】受信装置のディスプレイに受信装置の動かす方向を記号や文字やパタ−ン等を表示したり、受信装置に具備された発光手段の点灯や消灯をすることにより、ユーザに受信装置を受信感度のよいところへ設置できるようにした。【選択図】図３
2005354343.tif 000002
【特許請求の範囲】
【請求項１】
受信手段と、
前記受信手段が受信する情報からえられる受信強度を検出する受信強度検出手段を有し、
前記受信強度検出手段からの結果と前記受信強度に対する閾値に基づき、受信装置の設置位置を前記受信装置に示すことを特徴とする受信装置。
【請求項２】
表示手段を有し、
前記表示手段に前記設置位置を示すことを特徴とする請求項１記載の受信装置。
【請求項３】
音声出力手段を有し、
前記音声出力手段から出力される音声により前記設置位置を示すことを特徴とする請求項１記載の受信装置。
【請求項４】
発光手段を有し、
前記発光手段により前記設置位置を示すことを特徴とする請求項１記載の受信装置。
【請求項５】
請求項１乃至４のいずれかに記載の前記受信装置を用いて、前記受信装置を設置することを特徴とする受信装置の設置方法。
【発明の詳細な説明】
【技術分野】
【０００１】
本発明は、情報デ−タを無線で送受信する２体型情報伝送システムにおいて受信装置及び受信装置の設置方法に関するものである。
【背景技術】
【０００２】
ビデオデッキやＤＶＤプレイヤ−などのメディア再生機器を用いて、ビデオテ−プやＤＶＤディスクなどのメディアに記録された個人で記録した映像、音声情報や映画などのコンテンツを楽しむには、メディア再生機器とテレビなどをケーブルで接続し、テレビから出力される映像、音声を視聴していた。故に、それらメディアに記録された映像、音声を楽しめる場所はメディア再生機器を中心にメディア再生機器とテレビを接続するケーブル長を半径とする円内にテレビを設置し、そのテレビから出力される映像や音声が視聴できる範囲に限定される。その制限により、例えば２階立ての戸建において、１階にメディア再生機器を設置すると２Ｆでメディアに記録された映像、音声情報を楽しむには不可能で、２Ｆに新たにメディア再生機器を用意する必要があるなど、経済的負担が発生する。
【０００３】
そこで、メディア再生機器からテレビへケ−ブルで伝送している映像、音声などの情報デ−タを無線伝送技術を用いて伝送することで、メディア再生機器の設置位置に影響されない送信装置と受信装置から構成されたワイヤレステレビが近年市販されつつある。ワイヤレステレビは送信装置と受信装置から構成されており、メディア再生機器と送信装置を、受信装置とテレビをそれぞれケーブルで接続し、送信装置から受信装置へ無線で映像、音声などの情報デ−タを伝送することで、受信装置とテレビの設置位置が自由となり、任意の場所でメディアに記録された映像、音声情報を楽しむことができるものである。また、受信装置とテレビをケーブルで接続する例を示したが、テレビに受信装置が具備されるなど一体となったものもある。
【０００４】
しかし、無線伝送においては、送信装置と受信装置の間の距離や、遮蔽物、あるいは設置方向関係などの設置位置が無線伝搬に大きく影響を与えることは既知であり、従って、家屋の広さや間取り、構造も一様ではなく多様であることから、全ての場合において送信装置から受信装置へ安定して情報デ−タを伝送できる保証はない。この影響により、送信装置から出力された電波を受信装置で受信できない、あるいは受信しづらいなどの現象が発生し、例えば受信装置に接続された、あるいは具備されたディスプレイには映像が映らない、あるいは途切れながら表示される場合もあり得る。
【０００５】
このような問題を解決する方法としては、特許文献１に記載されているように、受信装置のディスプレイに情報の受信感度を表示したものがあり、そのディスプレイの状態を見ながら受信装置を設置する方法がある。図８は特許文献１に記載された受信装置における表示の一例を示すものである。
【特許文献１】特開２００３−１１０５８０号公報
【発明の開示】
【発明が解決しようとする課題】
【０００６】
従来の方法では受信装置のディスプレイ上に受信感度は表示されるが、受信感度が良くない場合、どちらの方向に受信装置を向けたり動かしたりするべきかを表示されず、受信装置をより受信感度の良い設置位置を容易に調整できない点である。
【課題を解決するための手段】
【０００７】
本願第一の発明の受信装置は、受信手段と、前記受信手段が受信する情報からえられる受信強度を検出する受信強度検出手段を有し、前記受信強度検出手段からの結果と前記受信強度に対する閾値に基づき、受信装置の設置位置を前記受信装置に示すものである。
【０００８】
好ましくは表示手段を有し、前記設置位置を前記表示手段に表示したり、音声出力手段を有し、前記音声出力手段から前記設置位置を音声出力したりするとよい。
【０００９】
本願第二の発明の受信装置は、本願第一の発明の受信装置に加え、発光手段を有し、前記発光手段より前記設置位置を示すものである。
【００１０】
本願第一の発明の受信装置の設定方法は、本願第一または本願第二の発明の受信装置を用いて、受信装置を設定する方法である。
【発明の効果】
【００１１】
本発明の２体型情報伝送システムの設置方法は、受信装置に設置位置情報が示される為、その表示内容に従って受信装置を移動するだけで容易に送信装置と受信装置を安定して無線伝送できる設置位置に調整可能となる。
【発明を実施するための最良の形態】
【００１２】
以下本発明を実施するための最良の形態について、図面を参照しながら説明する。
【００１３】
（実施の形態１）
図１は、本発明の２体型情報伝送システムを示す図であって、１０１は送信装置、１０２は送信装置１０１に具備された送信用アンテナ、１０３は受信装置、１０４は受信装置１０３に具備された第一の受信用アンテナ、１０５は受信装置１０３に具備された第二の受信用アンテナという構成である。また、送信用アンテナ１０２と第一の受信用アンテナ１０４の距離をＬ１、送信用アンテナ１０２と第二の受信用アンテナ１０５をＬ２とする。そして、１０６は受信装置１０３を左に動かす方向、１０７は受信装置１０３を右に動かす方向、１０８は受信装置１０３送信装置に近づける方向に動かす方向、１０９は受信装置１０３送信装置から離す方向に動かす方向である。
【００１４】
図１において、送信装置１０１より送信用アンテナ１０２から出力された映像データは、第一の受信用アンテナ１０４と第二の受信用アンテナ１０５で受信され受信装置１０３に入力される。このとき、送信用アンテナ１０２と第一の受信用アンテナ１０４との空間にある遮蔽物や距離Ｌ１、送信用アンテナ１０２と第二の受信用アンテナ１０５との空間にある遮蔽物や距離Ｌ２などの違いによって、第一の受信用アンテナ１０４と第二の受信用アンテナ５のそれぞれの受信強度は異なる場合が多い。また、受信装置１０３を例えば方向１０６に動かすとＬ１とＬ２が変化するので、動かす前と動かした後の受信強度は変化する。受信装置１０３を方向１０７や方向１０８、方向１０９に動かしてもＬ１とＬ２が変化するので、受信強度も変化する。
【００１５】
図２は、受信装置１０３の構成図を示し、第一の受信用アンテナ１０４と第二の受信用アンテナ１０５で受信した映像データは無線通信手段２００に入力される。出力される映像データは汎用処理手段２０５に制御される画像処理手段２０１で処理され、汎用処理手段２０５に制御される表示手段２０２から表示される。また、出力される音声データは汎用処理手段２０５に制御される音声処理手段２０３で処理され、汎用処理手段２０５に制御される音声出力手段２０４から出力される。そして、第一の受信用アンテナ１０４と第二の受信用アンテナ１０５のそれぞれの受信強度データは汎用処理手段２０５で処理され、２つの閾値に基づき、受信状況を判定し、受信装置１０３を動かすことを促す指示を表示手段２０２または音声出力手段２０４から出力する。
【００１６】
ここで、閾値に関する説明をする。まず、第一の受信用アンテナ１０４の受信強度データをＶ１、第二の受信用アンテナ１０５の受信強度データをＶ２、第一の受信用アンテナ１０４の受信強度データと第二の受信用アンテナ１０５の受信強度データとの差分の絶対値をＶｄとする。また、映像表示の速度が視聴者に違和感を感じさせない程度の受信強度データをＶａとし、Ｖ１とＶ２のバランスが保てるようにする値Ｖｂとする。
【００１７】
第一の閾値は、それぞれの受信強度データがＶａを超えているかを判定する。Ｖ１−Ｖａ≧０及びＶ２−Ｖａ≧０ならば、受信装置１０３を動かさない。Ｖ１−Ｖａ＞０及びＶ２−Ｖａ＜０またはＶ１−Ｖａ＜０及びＶ２−Ｖａ＞０またはＶ１−Ｖａ＜０及びＶ２−Ｖａ＜０ならば、方向１０８または方向１０９に動かす指示を出力する。
【００１８】
第二の閾値は、第一の受信用アンテナ１０４の受信強度と第二の受信用アンテナ１０５の受信強度のバランスが取れているかどうかを判定する。Ｖ１≧Ｖ２及びＶｄ−Ｖｂ≦０またはＶ１≦Ｖ２及びＶｄ−Ｖｂ≦０ならば、動かさない。Ｖ１＞Ｖ２及びＶｄ−Ｖｂ＞０またはＶ１＜Ｖ２及びＶｄ−Ｖｂ＞０ならば方向１０６または方向１０７に動かす指示を出力する。
【００１９】
例えば、Ｖ１−Ｖａ＜０及びＶ２−Ｖａ＜０かつＶ１＞Ｖ２及びＶｄ−Ｖｂ＞０ならば方向１０８及び方向１０６という指示を出力する。
【００２０】
ここで、図３にディスプレイに表示される受信装置１０３を動かすことを促す出力例を示す。図３において、第一の受信用アンテナ１０４と第二の受信用アンテナ１０５の受信強度を閾値に基づき処理を行い、ディスプレイ３０５に記号３０１または記号３０２または記号３０３または記号３０４を表示して、ユ−ザはディスプレイ３０５に表示される方向に受信装置１０３を移動させる。第一の受信用アンテナ１０４と第二の受信用アンテナ１０５の受信強度デ−タが第一の閾値と第二の閾値を越えなくなればディスプレイ３０５の記号表示は消えるので、ユーザはディスプレイ３０５の方向の表示が消えるまでディスプレイ３０５に表示される方向へ受信装置１０３を移動させることで設置の調整が完了する。
【００２１】
かかる構成によれば、受信装置に設置位置情報が示される為、その表示内容に従って受信装置を移動するだけで容易に送信装置と受信装置を安定して無線伝送できる設置位置に調整可能である。
【００２２】
なお、当実施の形態では送信装置１０１の送信手段を送信用アンテナ１０２の１つである例で示したが、複数でも同様に実現可能である。また、受信装置１０３の受信部を第一の受信用アンテナ１０４と第二の受信用アンテナ１０５の２つである例で示したが、それ以上の数でもよい。そして、受信装置１０３の処理ブロックにおいて、汎用処理手段２０５が第一の受信用アンテナ１０４と第二の受信用アンテナ１０５の受信強度デ−タを処理する例を示したが、無線通信処理手段２００が処理し、無線通信処理手段２００が画像処理手段２０１、あるいは音声処理手段２０２を制御してもよい。また、無線通信処理手段２００が受信強度デ−タの処理を行い、処理結果を汎用処理手段２０５へ通知して、汎用処理手段１０５が画像処理手段２０１、あるいは音声処理手段２０２を制御してもよい。この場合、第一の閾値及び第二の閾値は無線通信処理手段２００に予め設定しても、汎用処理手段２０５に設定してもどちらでもよい。
【００２３】
また、図３では方向の表示が矢印である例を示したが、四角や三角などいろいろな形状やパターンでもよい。加えて、図４に示すような文字の表示でもよく、表示される文字は複数でもよい。さらに、図５に示すように、ハッチングのパターンの濃淡や方向でもよい。そして、当実施の形態では方向の表示の内容によって、受信装置１０３を動かす方向を示す例を示したが、記号表示の有無によって方向を示してもよく、ディスプレイ３０５のどこか一部に表示してもよい。また、第一の受信用アンテナ１０４と第二の受信用アンテナ１０５の受信強度デ−タが第一の閾値と第二の閾値を越えなくなれば、ディスプレイ３０５の記号表示が消える例を示したが、ユーザが受信装置１０３を操作することで記号表示を消してもよい。そして、当実施の形態では受信装置１０３を動かす方向を示す内容を示したが、示す内容を付加し、移動すべき量を示してもよい。
【００２４】
加えて、当実施の形態ではディスプレイ上に表示する例を挙げたが、受信装置１０３にサブディスプレイを設け、その部分に受信装置１０３を動かすことを促す指示または移動すべき量を表示してもよい。また、スピーカ３０６から音声を出して、動かすことを促す指示や移動すべき量を出力してもよい。
【００２５】
（実施の形態２）
図６は、受信装置の構成図を示す。
【００２６】
当実施の形態において、実施の形態１と同じ部位は同じ番号を付し同様のものとし、重複する説明は適宜省略する。また、閾値に関しても実施の形態１と同様とする。
【００２７】
図６において、第一の受信用アンテナ１０４と第二の受信用アンテナ１０５のそれぞれの受信強度データは汎用処理手段２０５で処理される。汎用処理手段２０５は２つの閾値に基づき、受信状況を判定し、受信装置１０３を動かすことを促す指示を発光手段６０１に出力する。
【００２８】
ここで、図７に発光手段に表示される受信装置１０３を動かすことを促す出力例を示す。図７において、ＬＥＤ７０１は方向１０８に動かすよう指示を促す発光手段、ＬＥＤ７０２は方向１０９に動かすよう指示を促す発光手段、ＬＥＤ７０３は方向１０６に動かすよう指示を促す発光手段、ＬＥＤ７０４は方向１０７に動かすよう指示を促す発光手段である。第一の受信用アンテナ１０４と第二の受信用アンテナ１０５の受信強度を汎用処理手段２０５で処理を行い、受信装置１０３を動かす方向のＬＥＤを点灯させて、ユ−ザはＬＥＤが示す方向に受信装置１０３を移動させる。そして、第一の受信用アンテナ１０４と第二の受信用アンテナ１０５の受信強度デ−タが２つの閾値を越えなくなればＬＥＤは消灯するので、ユーザは受信装置１０３のＬＥＤが消灯するまでＬＥＤが示す方向へ受信装置１０３を移動させることで設置の調整が完了する。
【００２９】
かかる構成によれば、受信装置に設置位置情報が示される為、その表示内容に従って受信装置を移動するだけで容易に送信装置と受信装置を安定して無線伝送できる設置位置に調整可能である。
【００３０】
なお、図７の例では、発光手段としてＬＥＤを用いたが、電球のような発光するものでもよく、液晶等のサブディスプレイのようなものでもよい。また、受信装置１０３を動かす方向毎にＬＥＤを具備し、ＬＥＤ毎の点灯、消灯によって受信装置１０３を動かす方向をユ−ザに示す例を示したが、動かす方向よりも少ない数のＬＥＤを具備し、点灯、消灯に加えて点滅点灯などの点灯種や発光色種、発光輝度種などの発光手段制御方法によって動かす方向を示してもよい。加えて、第一の受信用アンテナ１０４と第二の受信用アンテナ１０５の受信強度デ−タが２つの閾値を越えなくなれば発光手段が消灯する例を示したが、ユーザが受信装置１０３を操作することで発光手段による動かす方向表示を停止してもよい。そして、当実施の形態では受信装置１０３を動かす方向を示す内容を示したが、示す内容を付加し、移動すべき量を示してもよい。
【産業上の利用可能性】
【００３１】
複数の受信手段が具備された受信装置で、それぞれの受信手段の受信レベルの差異を利用して送信装置と受信装置の位置関係を手動で、あるいは自動で調整する用途にも適用できる。
【図面の簡単な説明】
【００３２】
【図１】本発明の第１の実施の形態の２体型情報伝送システムを示す図
【図２】本発明の第１の実施の形態の受信装置の構成図
【図３】本発明の第１の実施の形態のディスプレイに表示される内容の一例の図
【図４】本発明の第１の実施の形態のディスプレイに表示される内容の一例の図
【図５】本発明の第１の実施の形態のディスプレイに表示される内容の一例の図
【図６】本発明の第２の実施の形態の受信装置の構成図
【図７】本発明の第２の実施の形態の発光手段つき受信装置の一例の図
【図８】従来の表示装置の図
【符号の説明】
【００３３】
１０１    送信装置
１０２    送信用アンテナ
１０３    受信装置
１０４    第一の受信用アンテナ
１０５    第二の受信用アンテナ
１０６    左に動かす方向
１０７    右に動かす方向
１０８    送信装置に近づける方向に動かす方向
１０９    送信装置から離す方向に動かす方向
２００    無線通信処理手段
２０１    画像処理手段
２０２    表示手段
２０３    音声処理手段
２０４    音声出力手段
２０５    汎用処理手段
３０１    左に動かすことを示す記号
３０２    右に動かすことを示す記号
３０３    送信装置から離す方向に動かすことを示す記号
３０４    送信装置に近づけることを示す記号
３０５    ディスプレイ
３０６    スピーカ
４０１    動かす方向を示す文字
５０１    ハッチング
６０１    発光手段
７０１    送信装置に近づける方向に動かす方向を示すＬＥＤ
７０２    送信装置から離す方向に動かす方向を示すＬＥＤ
７０３    左に動かす方向を示すＬＥＤ
７０４    右に動かす方向を示すＬＥＤ
８０１    表示部
８０２    表示装置
８０３    操作部
８０４    受信感度表示画面
８０５    受信感度表示画面
８０６    受信感度情報
【図１】
2005354343.tif 000003
【図２】
2005354343.tif 000004
【図３】
2005354343.tif 000005
【図４】
2005354343.tif 000006
【図５】
2005354343.tif 000007
【図６】
2005354343.tif 000008
【図７】
2005354343.tif 000009
【図８】
2005354343.tif 000010